(57)【特許請求の範囲】
【請求項１】
情報を表示する第１表示画面と、
情報を表示し、第１表示画面の後に配備された第２表示画面と、
第１表示画面の前に配置されたタッチパネルと、
タッチパネル入力を受け付ける操作画面の切り換え可否を設定する第１設定部と、
第１設定部が可と設定したとき、タッチパネルに対する操作に応じて、第１又は第２表示画面のうちの何れかを、操作画面として設定する第２設定部と、
第１設定部が否と設定したとき、タッチパネルに対する操作内容にかかわらず、所定の表示画面を操作画面として設定する第３設定部と、
を備え、
前記第３設定部により、操作画面として設定された第２表示画面に地図情報が表示されているときに、タッチパネル入力がなされた場合、該地図情報の拡大図、又は関連情報を第１表示画面に表示させることを特徴とするマルチレイヤディスプレイ装置。
【請求項２】
前記拡大図、又は関連情報を第１表示画面に表示させているとき、当該表示領域に対するタッチパネルによる入力を許可することを特徴とする請求項１に記載のマルチレイヤディスプレイ装置。
【発明の詳細な説明】
【技術分野】
【０００１】
本発明は、複数の表示画面が層状に配置された、マルチレイヤディスプレイ装置に関する。
【背景技術】
【０００２】
従来、画像を表示させる表示装置の一種として、複数の表示画面が層状に配置されたマルチレイヤディスプレイ［Multi Layer Display］装置（以下、「ＭＬＤ装置」と略記する場合がある）が考案されている。ＭＬＤ装置によれば、ユーザ（観察者）は、各表示画面に表示された画像が合わさって形成された合成画像を、観察することが可能である。
【０００３】
合成画像の各部分が表示されている位置と観察者との距離は、その部分が何れの表示画面に表示されているかによって、実際に変化する。そのためＭＬＤ装置によれば、一般的な表示装置（表示画面が単層の場合）に比べて、立体的に見せるべき画像を、より忠実に表示することが可能となる。
【０００４】
また、近年、デジタルサイネージ端末と呼ばれ、公共施設や屋外等に敷設され、広告情報などを表示する表示装置が登場している。出願人は、上記ＭＬＤ装置をデジタルサイネージ端末向けに開発を進めている。ＭＬＤ装置をデジタルサイネージ端末として用いる場合、タッチパネルを搭載することが好ましい。ところで、タッチパネルを搭載した表示装置としては例えば特許文献１がある。特許文献１では、タッチ操作を通じて、第１表示層（手前側の表示画面）に対する操作の可能な表示装置が開示されている。当該表示装置によれば、ユーザは、各表示層に表示される画像を見るだけでなく、第１表示層に対して図形等の入力を行うことも可能となっている。
【先行技術文献】
【特許文献】
【０００５】
【特許文献１】特開２００８−１９７６３４号公報
【発明の概要】
【発明が解決しようとする課題】
【０００６】
上述したように、表示画面を有する表示装置については、表示画面に対するタッチ操作が可能となっていれば、その利便性をより高めることが可能となる。ここでＭＬＤ装置については、一つの表示画面（例えば最も手前側の表示画面）だけでなく、複数の表示画面の各々に対してもタッチ操作が可能となっていれば、より利便性を高めることが可能と考えられる。
【０００７】
一例としては、タッチ操作を通じて、各表示画面に対して図形等を入力することが可能となっていれば、ユーザは、各表示画面の表示内容を所望の状態に改変することが可能となる。なお特許文献１に開示されている表示装置は、第１表示層に対するタッチ操作が可能となっているに過ぎず、複数の表示画面の各々に対してタッチ操作が可能となっているものではない。
【０００８】
ＭＬＤ装置において各表示画面に対するタッチ操作を可能とするためには、所定の切替操作に応じて、タッチ操作の対象に設定されている表示画面（操作対象画面）が、他の表示画面に切替えられるようになっていれば良い。これによりユーザは、操作対象画面を適宜切替え、任意の表示画面に対してタッチ操作を行うことが可能となる。
【０００９】
但し状況によっては、タッチ操作の対象となる表示画面が限定されることもある。一例としては、特定の表示画面だけにタッチ操作を要求するアプリケーションソフトがインストールされている場合に、ＭＬＤ装置が、専らこのアプリケーションソフトに基づいて動作する状況が挙げられる。このような状況下では、ユーザの誤操作等による操作対象画面の無用な切替が、未然に回避されるようになっていることが望まれる。
【００１０】
本発明は上述した問題に鑑み、複数の表示画面の各々に対するタッチ操作が可能でありながら、操作対象画面の無用な切替を未然に回避することが可能となる、マルチレイヤディスプレイ装置の提供を目的とする。
【課題を解決するための手段】
【００１１】
上記目的を達成するため、本発明に係るマルチレイヤディスプレイ装置は、情報を表示する第１表示画面と、情報を表示し、第１表示画面の後に配備された第２表示画面と、第１表示画面の前に配置されたタッチパネルと、タッチパネル入力を受け付ける操作画面の切り換え可否を設定する第１設定部と、第１設定部が可と設定したとき、タッチパネルに対する操作に応じて、第１又は第２表示画面のうちの何れかを、操作画面として設定する第２設定部と、第１設定部が否と設定したとき、タッチパネルに対する操作内容にかかわらず、所定の表示画面を操作画面として設定する第３設定部と、を備える構成とする。
【００１２】
本構成によれば、操作対象画面を固定させることにより、操作対象画面の無用な切替を未然に回避することが可能となる。
【００１３】
また上記構成において、前記第３設定部により、操作画面として設定された第２表示画面に地図情報が表示されているときに、タッチパネル入力がなされた場合、該地図情報の拡大図、又は関連情報を第１表示画面に表示させる構成としてもよい。
【００１４】
また上記構成において、前記拡大図、又は関連情報を第１表示画面に表示させているとき、当該表示領域に対するタッチパネルによる入力を許可する構成としてもよい。
【００１５】
また上記構成において、前記第３設定部により、第１表示画面が操作対象画面として設定され、ＡＴＭ端末又はパチスロ機に用いられる構成としてもよい。
【発明の効果】
【００１６】
上述した通り、本発明に係るマルチレイヤディスプレイ装置によれば、操作対象画面を固定させることにより、操作対象画面の無用な切替を未然に回避することが可能となる。
【図面の簡単な説明】
【００１７】
【図１】本発明の第１実施形態に係るＭＬＤ装置のブロック図である。
【図２】当該ＭＬＤ装置の断面図である。
【図３】動作方式に関する各項目についての説明図である。
【図４】当該ＭＬＤ装置が行う動作の流れ図（ステップＳ１〜Ｓ９）である。
【図５】当該ＭＬＤ装置が行う動作の流れ図（ステップＳ１１〜Ｓ１９）である。
【図６】当該ＭＬＤ装置が行う動作の流れ図（ステップＳ２１〜Ｓ２９）である。
【図７】オリジナル画像情報に関する説明図である。
【図８】修正画像情報に関する説明図である。
【図９】合成画像に関する説明図である。
【図１０】操作対象画面を切替える動作についての流れ図である。
【図１１】本発明の第２実施形態に係るＭＬＤ装置のブロック図である。
【図１２】当該ＭＬＤ装置の断面図である。
【図１３】画像データのフォーマットに関する説明図である。
【図１４】指定操作に関する説明図である。
【図１５】操作対象画面を切替える動作についての流れ図である。
【図１６】各表示画面における表示状態に関する説明図である。
【図１７】各表示画面における表示状態に関する説明図である。
【図１８】各表示画面における表示状態に関する説明図である。
【図１９】各表示画面における表示状態に関する説明図である。
【図２０】各表示画面における表示状態に関する説明図である。
【図２１】操作対象画面を切替える動作に関する説明図である。
【図２２】操作対象画面を切替える動作についての流れ図である。
【発明を実施するための形態】
【００１８】
本発明の実施形態について、第１実施形態および第２実施形態を挙げて、以下に説明する。なお何れの実施形態も、タッチパネルを備えたマルチレイヤディスプレイ装置（ＭＬＤ装置）に関するものである。
【００１９】
１．第１実施形態
［ＭＬＤ装置の構成等について］
まず第１実施形態について説明する。図１は、当該ＭＬＤ装置の構成に関するブロック図である。本図に示すように当該ＭＬＤ装置１は、タッチパネル１１、第１表示画面１２、第２表示画面１３、第３表示画面１４、バックライト１５、入力制御部１６、表示制御部１７、ＣＰＵ［Central Processing Unit］１８、操作ボタン１９、内蔵メモリ２０、画像情報入力部２１、およびＡＶ信号入力インタフェース２２などを備えている。
【００２０】
また図２は、ユーザ（観察者）の観察方向に平行な面を断面とした場合の、ＭＬＤ装置１の断面図である。本図に示すようにＭＬＤ装置１は、手前側（本願では、観察者に近い側を意味する）が開口している筐体１０に、タッチパネル１１、第１表示画面１２、第２表示画面１３、第３表示画面１４、およびバックライト１５が、手前側から奥側へ順に並ぶように配置されている。このように各表示画面（１２〜１４）は、手前側から奥側に向かう方向を層方向として、層状に配置されている。なお本実施形態では、３層の表示画面を有しているが、２層あるいは４層以上の表示画面を有していても構わない。
【００２１】
タッチパネル１１は、各表示画面（１２〜１４）の面と同等の大きさの面（長方形の面）を有するパネルである。タッチパネル１１は、ユーザの指等の物体（以降、単に「指等」と称する）が当該パネルの手前側の面に触れると、当該パネル上の何れの位置が触れられているかに応じた情報を生成する。この情報は、入力制御部１６を通じてＣＰＵ１８へリアルタイムに伝えられ、ＭＬＤ装置１の動作に反映される。
【００２２】
これによりユーザは、タッチパネル１１に指を触れること等による、ＭＬＤ装置１の操作（以下、「タッチ操作」と称することがある）を行うことが可能となっている。またタッチパネル１１は、全体的に透明の材質で形成されている。これによりユーザは、タッチパネル１１を透かして、各表示画面（１２〜１４）に表示されている画像を見ることが可能である。
【００２３】
第１から第３の各表示画面（１２〜１４）は、ＲＧＢ（赤・緑・青）の各画素が全面に配置された、それぞれ同等の大きさの面を有する液晶ディスプレイとして形成されている。各表示画面（１２〜１４）における画素ごとの光の透過度合は、表示制御部１７によって調整される。これにより各表示画面（１２〜１４）においては、バックライト１５から手前側に向けて放たれた光によって、画像が形成される。
【００２４】
バックライト１５は、ＭＬＤ装置１の光源として機能するものであり、例えば蛍光管やＬＥＤ［Light Emitting Diode］によって形成されている。バックライト１５は、各表示画面（１２〜１４）に画像を表示させるべき期間において、白色の光を継続的に放つように制御される。
【００２５】
入力制御部１６は、タッチパネル１１から送出されてきた情報に基づいて、現時点においてタッチパネル１１上の何れの位置が触れられているかを判別する。当該判別の結果は、ＣＰＵ１８に伝送される。
【００２６】
表示制御部１７は、内蔵メモリ２０や画像情報入力部２１等から伝送されてきた画像情報に基づいて、各表示画面（１２〜１４）に画像が形成されるように、各表示画面（１２〜１４）に設けられた各画素の光の透過度合を調整する。なおＭＬＤ装置１において用いられる画像情報の形式については、改めて説明する。
【００２７】
また入力制御部１６と表示制御部１７の各機能部は、別々の装置によって実現されていても良く、同じ装置によって実現されていても良い。またＣＰＵ１８が、入力制御部１６や表示制御部１７の機能を兼ね備えるようにしても構わない。
【００２８】
ＣＰＵ１８は、ＭＬＤ装置１の機能が発揮されるように（必要な動作が適切に遂行されるように）、ＭＬＤ装置１の各部を適切に制御する。なおＭＬＤ装置において実行される主な動作の内容については、改めて詳細に説明する。
【００２９】
操作ボタン１９は、ユーザによって操作される複数のボタンスイッチ（例えば押しボタンスイッチ）からなり、ユーザが操作できる位置に設けられている。操作ボタン１９におけるユーザの操作内容は、ＣＰＵ１８に伝送され、ＭＬＤ装置１の各種動作に反映される。
【００３０】
内蔵メモリ２０は、書換え可能である不揮発性のメモリや、作業用メモリとして利用されるＲＡＭ等によって形成されており、画像情報や、動作方式に関する各種の設定情報（詳しくは後述する）などを記憶する。また画像情報入力部２１は、ＡＶ信号入力インタフェース２２を介して、外部から画像情報が入力されるようになっている。入力された画像情報は、例えば内蔵メモリ２０に一旦記録される。
【００３１】
［ＭＬＤ装置が行う主な動作について］
次に、ＭＬＤ装置１が行う主な動作の内容について説明する。
【００３２】
ＭＬＤ装置１は、これから述べるように、各表示画面（１２〜１４）に画像を表示させつつ、任意の表示画面に対する表示改変操作（タッチ操作の一態様）を受付けて、表示状態を改変する動作を行うようになっている。またＭＬＤ装置１においては、これらの動作がユーザの意向に沿った手順でなされるように、予めユーザが、各種の動作方式を設定することが可能となっている。まずこの動作方式の設定の流れについて、以下に説明する。
【００３３】
ＭＬＤ装置１は、適宜、図３に示す動作方式に関する各項目について、どのように設定するかのユーザの指定を受付ける。なお、当該指定をどのように受付けるかについては、種々の態様とすることが可能である。例えば、操作ボタン１９の一部が操作されると、図３に示す内容の画像が第１表示画面に表示され、ユーザはタッチ操作を通じて、各項目を所望の状態に設定することが可能となっている。以下、各項目の内容について説明する。
【００３４】
「操作対象画面の固定／可変」の項目は、操作対象画面（各表示画面（１２〜１４）のうち、タッチ操作の対象とするもの）の切替の可否に関わるものである。本項目が「固定」に設定されると、操作対象画面の設定は、最も手前側に位置している第１表示画面１２に固定され、他の表示画面（１３、１４）を操作対象画面とすることは出来なくなる。つまりＭＬＤ装置１の動作状態は、標準状態（詳しくは後述する）に固定されることになる。
【００３５】
なお本実施形態では、このように、操作対象画面の設定が第１表示画面１２に固定されるものとするが、どの表示画面に固定されるかについて、例えばユーザが自在に選択できるようにしても構わない。一方「可変」に設定されると、ユーザは所定の手順（詳しくは後述する）を通じて、操作対象画面を任意に切替えることが可能となる。
【００３６】
「操作対象画面の選択方式」の項目は、「操作対象画面の固定／可変」の項目が「可変」に設定されている場合に、操作対象画面をどのような手順でユーザに選択させるかに関わるものである。本項目については、任意の表示画面を直接指定させる方式である「直接指定モード」と、所定の切替操作がなされる度に表示画面を順次遷移させる方式である「順次遷移モード」の選択肢が用意されており、ユーザはこれらの何れかに設定することができる。
【００３７】
「自動復帰フラグ」の項目は、一定時間タッチ操作がなされなかった場合に、第１表示画面１２が操作対象画面に設定された状態（標準状態）に自動復帰させるか否かに関わるものである。本項目が「ＯＮ」に設定されると、当該自動復帰の動作が実行され、「ＯＦＦ」に設定されると、当該自動復帰の動作は実行されないようになる。
【００３８】
「透明化の度合」の項目は、表示画面（１２〜１４）の一つまたは複数に対して透明化を実施するにあたっての、透明化の度合に関わるものである。なお透明化は、操作対象画面の操作編集を容易とする等の目的のために、操作対象画面より手前側の他の表示画面における透明の度合（各画素の光の透過度合）を、現状よりも大きくなるように調節する処理である。透明化が実施されるための条件（実施されるタイミング）については、後述の説明で明らかとなる。
【００３９】
本項目については、０％（全く透明化されない）〜１００％（完全に透明となる）の任意の値に設定することが可能となっている。例えば「透明化の度合」がｎ％に設定された場合、現在の光の透過度合がａ％である画素が透明化の対象となると、当該光の透過度合は、ａ＋｛ｎ（１００−ａ）／１００｝％に調節される。なお、ＭＬＤ装置１がデジタルサイネージ端末として用いられるものである場合、図３で示したような操作画面は、ＭＬＤ装置が敷設される施設の管理者やＭＬＤ装置の所有者、或いはサービスマンのみが操作可能、もしくは視認できるよう設定され、一般のユーザは操作又は視認ができないように設定されていても良い。
【００４０】
なお上述した動作方式に関する各項目の意義などは、以降の説明でより明らかとなる。上述した各種の動作方式が設定された状態で、ＭＬＤ装置１は、各表示画面（１２〜１４）に画像を表示させつつ、任意の表示画面に対する表示改変操作を受付けて、表示状態を改変する動作を行う。当該動作の流れについて、図４から図６に示すフローチャートを参照しながら、以下に説明する。
【００４１】
ＭＬＤ装置１は、通常時、内蔵メモリ２０に格納されている画像情報のうち、表示すべき画像についてのユーザの指定（例えば、画像情報に付けられたファイル名の指定）を受付ける。そして当該指定がなされると、ＣＰＵ１８は、指定された画像情報を表示対象の画像情報として特定する（ステップＳ１）。特定された画像情報は、例えば作業用メモリに読み出され、以降の動作に使用される。
【００４２】
ここでＭＬＤ装置１において扱われる画像情報には、第１表示装置１２に表示される画像の情報である第１オリジナル画像情報、第２表示装置１３に表示される画像の情報である第２オリジナル画像情報、および第３表示装置１４に表示される画像の情報である第３オリジナル画像情報が含まれている。なお「オリジナル画像情報」の語は、後に登場する「修正画像情報」と区別するために、便宜的に定義したものである。
【００４３】
また第１から第３の各オリジナル画像情報に係る画像は、表示画面の枠に対応するフレームの中に、１個または複数個の前景（何らかの形状の輪郭を有するもの）が配置された形態となっている。そしてフレーム内の前景を除いた領域は、空白となっている。前景は色の情報も付与されており、表示画面に表示された際に、その色に表示されることとなる。またオリジナル画像が表示画面に表示されたとき、空白に対応する領域は完全に透明（つまり、より奥側の表示状態が、そのまま透けて見える状態）となる。各オリジナル画像情報は、少なくとも、各前景の形状、向き、色、およびフレーム内での位置を特定する情報となっている。
【００４４】
図７は、第１オリジナル画像情報ＯＲＧ−１、第２オリジナル画像情報ＯＲＧ−２、および第３オリジナル画像情報ＯＲＧ−３の具体例を示したものである。これらの画像が、それぞれ対応する表示画面（１２〜１４）に表示されると、観察者からは、これらの画像情報が合わさって見えることになる。
【００４５】
ただし、第２および第３のオリジナル画像情報（ＯＲＧ−２、ＯＲＧ−３）が、それぞれ第２および第３の表示画面（１３、１４）にそのまま表示されると、観察者の視点からは、異なる画像情報の前景同士が重なり合う部分において色が混ざったように見えるため、観察者は違和感を覚えることになる。そこでＣＰＵ１８は、このような重なり合いが解消されるように、第２および第３のオリジナル画像情報（ＯＲＧ−２、ＯＲＧ−３）について修正処理を施し、それぞれに対応する修正画像情報を生成する（ステップＳ２）。
【００４６】
より具体的には、各オリジナル画像情報（ＯＲＧ−２、ＯＲＧ−３）の前景における、より手前側に表示される各オリジナル画像情報の前景と重なり合う領域が、空白となるように修正が施される。すなわち、第２のオリジナル画像情報（ＯＲＧ−２）については、図８の上段に示すように、第１のオリジナル画像情報（ＯＲＧ−１）の前景と重なり合う領域が空白に修正され、第２の修正画像情報（ＣＯＲ−２）が生成される。また、第３のオリジナル画像情報（ＯＲＧ−３）については、図８の下段に示すように、第１と第２のオリジナル画像情報（ＯＲＧ−１、ＯＲＧ−２）の前景と重なり合う領域が空白に修正され、第３の修正画像情報（ＣＯＲ−３）が生成される。
【００４７】
その後ＣＰＵ１８は、第１表示画面１２に第１オリジナル画像情報ＯＲＧ−１が、第２表示画面１３に第２修正画像情報ＣＯＲ−２が、第３表示画面１４に第３修正画像情報ＣＯＲ−３が、それぞれ表示されるように、表示制御部１７に指示を与える（ステップＳ３）。これにより各表示画面（１２〜１４）には、当該指示通りに画像が表示される。
【００４８】
このようにＭＬＤ装置１は、各表示画面（１２〜１４）に画像を表示させることにより、これらの画像の各々が合わさって形成された、図９に示すような合成画像ＣＯＭＰを、層方向の手前側に向けて表示するようになっている。またステップＳ３の動作が完了した時点では、ＭＬＤ装置１は、第１表示画面１２が操作対象画面に設定された状態となっており、ユーザは、第１表示画面１２に対するタッチ操作を行うことが可能となっている。
【００４９】
より具体的には、ユーザは、第１表示画面１２の表示内容を改変するためのタッチ操作（以下、便宜的に「表示改変操作」と称することがある）を行うことが可能となっている。すなわちＭＬＤ装置１は、例えばタッチパネル１１が指等でなぞられる度に、その軌跡を、既に表示されている第１オリジナル画像情報ＯＲＧ−１に追加されるように、第１表示画面１２に表示する。このようにしてユーザは、第１表示画面１２に対するタッチ操作を行い、第１表示画面１２の表示内容を、所望の状態に改変することが可能となっている。またユーザは、表示改変操作を終えた後、ＭＬＤ装置１に、表示改変操作の完了指示を与えることが可能となっている。
【００５０】
なお詳しくは後述するが、ＭＬＤ装置１においては、第１表示画面１２だけでなく、第２或いは第３の表示画面（１３、１４）を操作対象画面に設定することも可能となっている。しかしＭＬＤ装置の一般的な使用環境では、これらの表示画面のうちの、最も手前側に配置されている第１表示画面１２をタッチ操作する機会が、最も多くなると想定される。そこでＭＬＤ装置１では、操作対象画面が第１表示画面に設定されている状態が、標準的な状態（標準状態）となるように設計されている。
【００５１】
ＣＰＵ１８は、ステップＳ３の動作を行った後、ユーザによる表示改変操作の完了指示がなされたかの判断を行う（ステップＳ４）。そして当該完了指示がなされた場合は（ステップＳ４のＹ）、ＣＰＵ１８は、表示改変操作の内容に従って、第１オリジナル画像情報ＯＲＧ−１（つまり、操作対象画面に対応した画像に関する情報）を更新した上で（ステップＳ５）、ステップＳ２の動作を再度行う。これにより、表示される合成画像ＣＯＭＰに、当該更新の内容が反映されることになる。
【００５２】
一方、当該完了指示がなされていない場合（ステップＳ４のＮ）、動作方式に係る「操作対象画面の固定／可変」の項目（図３を参照）が「固定」に設定されている場合には（ステップＳ６の「固定」）、ＣＰＵ１８は、ステップＳ４の動作を繰り返す。また「可変」に設定されている場合には（ステップＳ６の「可変」）、ＣＰＵ１８は、動作方式に係る「操作対象画面の選択方式」の項目（図３を参照）が、どのように設定されているかを判断する（ステップＳ７）。
【００５３】
ステップＳ７に係る判断の結果、「直接指定モード」に設定されている場合には（ステップＳ７の「直接指定モード」）、ＣＰＵ１８は、第１表示画面１２を除く何れかの表示画面（１３、１４）が、ユーザによって直接指定されたか否かを判断する（ステップＳ８）。なお「操作対象画面の選択方式」の項目が「直接指定モード」に設定されている場合、ユーザは、例えば所定の操作ボタン１９の操作を通じて、任意の表示画面（１３、１４）を直接指定することが可能となっている。
【００５４】
またステップＳ７に係る判断の結果、「順次遷移モード」に設定されている場合には（ステップＳ７の「順次遷移モード」）、ＣＰＵ１８は、操作対象画面の切替操作がなされたか否かを判断する（ステップＳ９）。なお操作対象画面の切替操作は、予め決められた所定条件を満たす操作である。一例としては、タッチパネル１１の任意の箇所、或いは所定の箇所を、一定時間以上にわたって継続的にタッチする操作（つまり、同じ箇所をタッチし続ける操作）や、タッチパネル１１の内側寄りの領域から端の方に向かって、タッチパネル１１をドラッグ（タッチパネル１１に触れたまま指を移動）する操作などが、操作対象画面の切替操作として採用される。
【００５５】
そしてステップＳ９に係る判断の結果、操作対象画面の切替操作がなされていない場合には（ステップＳ９のＮ）、ＣＰＵ１８は、ステップＳ４の動作を繰り返す。なお、何れかの表示画面が直接指定された場合（ステップＳ８のＹ）、若しくは、操作対象画面の切替操作がなされた場合（ステップＳ９のＹ）に行われる動作は、以下に説明する通りである。
【００５６】
［何れかの表示画面が直接指定された場合の動作について］
先述したステップＳ８に係る判断の結果、何れかの表示画面が直接指定された場合には（ステップＳ８のＹ）、ＣＰＵ１８は、指定された表示画面を操作対象画面として新たに設定する。また更にＣＰＵ１８は、表示画面（１２〜１４）のうち、操作対象画面より手前側のものについては、透明化を実施し（既に透明化が実施されている場合には、その状態を維持させる）、操作対象画面より奥側のものについては、透明化を解除する（透明化が元々実施されていない場合には、そのままとする）（ステップＳ１１）。
【００５７】
これにより、例えば第２表示画面１３が操作対象画面に設定された場合には、これより手前側の第１表示画面１２については、透明化が実施された状態となり、奥側の第３表示画面１４については、透明化が実施されていない状態（つまり、通常の表示状態）となる。なお透明化の度合については、動作方式に係る「透明化の度合」の項目（図３を参照）の設定内容に従って決められる。
【００５８】
また操作対象画面が更新されたことにより、ユーザは、新たに操作対象画面に設定された表示画面に対するタッチ操作を行うことが可能となっている。より具体的には、ユーザは、新たに操作対象画面に設定された表示画面の表示内容を改変するための、表示改変操作（どのような操作かは先述した通り）を行うことが可能となっている。なおこのとき、操作対象画面については、修正画像情報ではなく、オリジナル画像情報が表示されるようになっていても良い。またユーザは、表示改変操作を終えた後、ＭＬＤ装置１に、表示改変操作の完了指示を与えることが可能となっている。
【００５９】
ステップＳ１１の動作の後、ＣＰＵ１８は、更に他の表示画面が直接指定されたか（ステップＳ１２）、ユーザによる表示改変操作の完了指示がなされたか（ステップＳ１３）、ユーザによる復帰の指示（ＭＬＤ装置１を標準状態に復帰させる指示）がなされたか（ステップＳ１４）、および動作方式に係る「自動復帰フラグ」の項目（図３を参照）が「ＯＮ」に設定されているか（ステップＳ１５）を監視する。
【００６０】
そして他の表示画面が直接指定された場合（ステップＳ１２のＹ）、その指定先が第１表示画面１２であるときは（ステップＳ１９のＹ）、ＣＰＵ１８は、操作対象画面の設定を第１表示画面１２に戻し、透明化が実施されている表示画面（１２〜１４）がある場合には、その透明化を解除する（ステップＳ１８）。一方、その指定先が第１表示画面１２以外であるときは（ステップＳ１９のＮ）、ＣＰＵ１８の動作は、ステップＳ１１の動作に戻る。これにより、操作対象画面が適切に切替えられることになる。
【００６１】
また表示改変操作の完了指示がなされた場合は（ステップＳ１３のＹ）、ＣＰＵ１８は、この表示改変操作の内容に従って、現在の操作対象画面に対応するオリジナル画像情報を更新する（ステップＳ１６）。つまり、第２表示画面が操作対象画面である場合には、第２オリジナル画像情報ＯＲＧ−２が更新され、第３表示画面が操作対象画面である場合には、第３オリジナル画像情報ＯＲＧ−３が更新されることになる。
【００６２】
その後、ＣＰＵ１８の動作は、ステップＳ１８の動作に進む。なおステップＳ１８の動作が完了したら、ＣＰＵ１８の動作は、ステップＳ２の動作に戻るようになっている。これにより、表示される合成画像ＣＯＭＰに、オリジナル画像情報の更新内容が反映されることになる。
【００６３】
また復帰の指示がなされた場合にも（ステップＳ１４のＹ）、ＣＰＵ１８の動作は、ステップＳ１８の動作に進む。また「自動復帰フラグ」が「ＯＮ」に設定されている場合は（ステップＳ１５のＹ）、ＣＰＵ１８は更に、タッチ操作が途絶えてから一定時間が経過しているか（つまり一定時間、タッチ操作がなされていないか）を判断する（ステップＳ１７）。
【００６４】
その結果、一定時間が経過している場合には（ステップＳ１７のＹ）、ＣＰＵ１８の動作はステップＳ１８の動作に進み、一定時間が経過していない場合には（ステップＳ１７のＮ）、ステップＳ１２の動作に戻る。
【００６５】
［操作対象画面の切替操作がなされた場合の動作について］
先述したステップＳ９に係る判断の結果、操作対象画面の切替動作がなされた場合には（ステップＳ９のＹ）、ＣＰＵ１８は、現時点で操作対象画面に設定されている表示画面より一つ奥側の表示画面を、操作対象画面として新たに設定する。
【００６６】
また更にＣＰＵ１８は、ステップＳ１１の動作の場合と同様に、表示画面（１２〜１４）のうち、操作対象画面より手前側のものについては、透明化を実施し、操作対象画面より奥側のものについては、透明化を解除する動作を行う（ステップＳ２１）。
【００６７】
また操作対象画面が更新されたことにより、ユーザは、新たに操作対象画面に設定された表示画面に対するタッチ操作を行うことが可能となっている。より具体的には、ユーザは、新たに操作対象画面に設定された表示画面の表示内容を改変するための、表示改変操作（どのような操作かは先述した通り）を行うことが可能となっている。なおこのとき、操作対象画面については、修正画像情報ではなく、オリジナル画像情報が表示されるようになっていても良い。またユーザは、表示改変操作を終えた後、ＭＬＤ装置１に、表示改変操作の完了指示を与えることが可能となっている。
【００６８】
ステップＳ２１の動作の後、ＣＰＵ１８は、更に操作対象画面の切替操作がなされたか（ステップＳ２２）、ユーザによる表示改変操作の完了指示がなされたか（ステップＳ２３）、ユーザによる復帰の指示（ＭＬＤ装置１を標準状態に復帰させる指示）がなされたか（ステップＳ２４）、および動作方式に係る「自動復帰フラグ」の項目が「ＯＮ」に設定されているか（ステップＳ２５）を監視する。
【００６９】
そして操作対象画面の切替操作がなされた場合（ステップＳ２２のＹ）、現時点の操作対象画面が最も奥側の表示画面（本実施形態では、第３表示画面１４）であるときは（ステップＳ２９のＹ）、ＣＰＵ１８は、操作対象画面の設定を第１表示画面１２に戻し、透明化が実施されている表示画面（１２〜１４）がある場合には、その透明化を解除する（ステップＳ２８）。一方、現時点の操作対象画面が最も奥側の表示画面でないときは（ステップＳ２９のＮ）、ＣＰＵ１８の動作は、ステップＳ２１の動作に戻る。これにより、操作対象画面が切替えられることになる。
【００７０】
また表示改変操作の完了指示がなされた場合は（ステップＳ２３のＹ）、ＣＰＵ１８は、この表示改変操作の内容に従って、現在の操作対象画面に対応するオリジナル画像情報を更新する（ステップＳ２６）。つまり、第２表示画面が操作対象画面である場合には、第２オリジナル画像情報ＯＲＧ−２が更新され、第３表示画面が操作対象画面である場合には、第３オリジナル画像情報ＯＲＧ−３が更新されることになる。
【００７１】
その後ＣＰＵ１８の動作は、ステップＳ２８の動作に進む。なおステップＳ２８の動作が完了したら、ＣＰＵ１８の動作は、ステップＳ２の動作に戻るようになっている。これにより、表示される合成画像ＣＯＭＰに、オリジナル画像情報の更新内容が反映されることになる。
【００７２】
また復帰の指示がなされた場合にも（ステップＳ２４のＹ）、ＣＰＵ１８の動作は、ステップＳ２８の動作に進む。また「自動復帰フラグ」が「ＯＮ」に設定されている場合は（ステップＳ２５のＹ）、ＣＰＵ１８は更に、タッチ操作が途絶えてから一定時間が経過しているか（つまり一定時間、タッチ操作がなされていないか）を判断する（ステップＳ２７）。
【００７３】
その結果、一定時間が経過している場合には（ステップＳ２７のＹ）、ＣＰＵ１８の動作はステップＳ２８の動作に進み、一定時間が経過していない場合には（ステップＳ２７のＮ）、ステップＳ２２の動作に戻る。
【００７４】
［ＭＬＤ装置の特長等について］
ＭＬＤ装置１は上述した構成となっており、また上述した一連の動作を行うものとなっているため、次のような特長を有している。
【００７５】
ＭＬＤ装置１は、ユーザによる複数の表示画面（１２〜１４）のうちの何れかの指定を受付けて、この指定のなされた表示画面を操作対象画面として設定する。そして更に、タッチパネル１１の操作（タッチ操作）を、操作対象画面に対する操作として認識するようになっている。
【００７６】
これによりユーザは、複数の表示画面（１２〜１４）のうちの所望の表示画面に対してタッチ操作を行うことが可能となっている。そのためＭＬＤ装置１は、一つの表示画面だけに対してタッチ操作が可能であるものに比べて、より利便性が高いものとなっている。本実施形態の場合は、一つの表示画面に対する表示改変操作が可能であるにとどまらず、複数の表示画面（１２〜１４）の各々に対する表示改変操作が可能となっている。
【００７７】
またＭＬＤ装置１は、動作方式に関する「操作対象画面の固定／可変」の項目を、ユーザに切替自在に設定させるようになっている。そして更に、当該項目が「固定」（操作対象画面の切替が不可）に設定されることによって、操作対象画面の設定を、第１表示画面１２（最も手前に配置された表示画面）に固定するようになっている（ステップＳ６の動作を参照）。これにより、第１表示画面１２以外に対するタッチ操作が無効であるような場合に、第１表示画面１２以外の表示画面が操作対象画面に誤って設定されてしまう事態を、回避することが可能となっている。
【００７８】
またＭＬＤ装置１は、複数の表示画面（１２〜１４）のうちの操作対象画面より手前側の各々について、透明化（バックライト１５の光の透過度合を、予め決められた条件に従って大きくなるように調節する動作）を実施するようになっている（ステップＳ１１、Ｓ２１の動作を参照）。これにより、ユーザ（観察者）にとっては、操作対象画面の表示がより見易くなり、タッチ操作を適切に行うことが容易となる。
【００７９】
なお、透明化の度合が大きくなっている程、通常は、操作対象画面の表示は見易くなるが、その反面、透明化された表示画面の表示は見難くなる。そのため、透明化された表示画面の表示状態を参照しながら、操作対象画面をタッチ操作するような状況では、当該タッチ操作を行うことが難しくなるといった問題が生じ得る。ＭＬＤ装置１によれば、ユーザによる透明化の度合の指定を予め受付けて、透明化の度合（光の透過度合）を当該指定に応じた値に調節するようになっているため、このような問題にも対処することが可能となっている。
【００８０】
またＭＬＤ装置１は、動作方式に関する「操作対象画面の選択方式」の項目を、ユーザに切替自在に設定させるようになっている。そして当該項目が「直接指定モード」に設定されている場合は、ユーザが複数の表示画面（１２〜１４）の何れをも直接指定できる状態とし、直接指定がなされた表示画面を、新たに操作対象画面として設定する。一方、「順次遷移モード」に設定されている場合は、ユーザが操作対象画面の切替動作（所定条件を満たすタッチ操作）を行ったときに、現在の操作対象画面より１個分だけ奥側の表示画面を、新たに操作対象画面として設定する。
【００８１】
これによりユーザは、そのときの状況や好みに合わせて当該項目を適切に設定し、何れの表示画面を操作対象画面とするかの選択を、より行い易くすることが可能となっている。
【００８２】
またＭＬＤ装置１は、動作方式に関する「自動復帰フラグ」の項目を、ユーザに切替自在に設定させるようになっている。そして当該項目が「ＯＮ」に設定されている場合、第１表示画面１２（最も手前側の表示画面）以外のものが操作対象画面として設定されている際に、タッチ操作のなされなかった状態が予め決められた一定時間を越えて続いたときには、第１表示画面１２を、新たに操作対象画面として設定する（ステップＳ１５、１７、２５、Ｓ２７等の動作を参照）。
【００８３】
これにより、ユーザが第１表示画面１２以外についてのタッチ操作を終えた後、ＭＬＤ装置１を自動的に標準状態に戻すことができる。そのため、ＭＬＤ装置１は、ユーザにとってより利便性の高いものとなっている。
【００８４】
またＭＬＤ装置１は、第１表示画面１２（最も手前側の表示画面）以外のものが操作対象画面として設定されている際に、ユーザによる復帰の指示（予め決められた操作）がなされると、第１表示画面１２を、新たに操作対象画面として設定する（ステップＳ１４、２４等の動作を参照）。
【００８５】
これにより、第１表示画面１２以外についてのタッチ操作を終えた後、ユーザは復帰の指示を行って、ＭＬＤ装置１を直ちに標準状態に戻すことができる。そのため、ＭＬＤ装置１は、ユーザにとってより利便性の高いものとなっている。
【００８６】
［操作対象画面を切替えるための別形態の動作について］
先述した通り、ＭＬＤ装置１は、ユーザによる任意の表示画面の指定を受付け、操作対象画面を指定された表示画面に切替えることが可能となっている（ステップＳ８およびＳ１２などを参照）。ここでＭＬＤ装置１は、簡潔なタッチ操作（後述するように、一度だけの長押し）によって、ユーザによる任意の表示画面の指定が実現されるようになっていても良い。この場合にＭＬＤ装置１によって行われる動作について、図１０に示すフローチャートを参照しながら、以下に説明する。
【００８７】
予めＭＬＤ装置１には、一定の時間を表す２通りの閾値として、第１閾値（例えば３秒）と、第１閾値より長い第２閾値（例えば５秒）が設定されている。ＣＰＵ１８は、タッチパネル１１の任意位置に指等が触れる度に、接触時間をカウントするようになっている。ここで接触時間は、指等がタッチパネル１１の一定位置に（つまり、タッチパネル１１上を動くことなく）、継続して触れている時間のことである。指等がタッチパネル１１から離れたり、タッチパネル１１上を動いたりしたときは、接触時間は途切れることになる。
【００８８】
そして接触時間が第１閾値には達したが（ステップ３１のＹ）、第２閾値に達する前に途切れた場合には（ステップＳ３２のＮ）、ＣＰＵ１８は今回の接触を、操作対象画面を一つ奥側の表示画面に切替えるための操作（切替操作）と認識する。そこでＣＰＵ１８は、操作対象画面を一つ奥側の表示画面に切替える（ステップＳ３４）。
【００８９】
また接触時間が第２閾値に達した場合には（ステップＳ３３のＹ）、ＣＰＵ１８は今回の接触を、操作対象画面を二つ奥側の表示画面に切替えるための操作（切替操作）と認識する。そこでＣＰＵ１８は、操作対象画面を二つ奥側の表示画面に切替える（ステップＳ３５）。なおここでは、第３表示画面１４より一つ奥側および二つ奥側の表示画面は、それぞれ第１表示画面１２および第２表示画面１３であるとする。例えば、現在の操作対象画面が「第３表示画面１４」であるときに、操作対象画面が「一つ奥側」の表示画面に切替えられると、操作対象画面は「第１表示画面１２」に切替えられることとなる。接触時間が第１閾値に達しなかった場合には（ステップＳ３１のＮ）、今回の接触は切替操作とは認識されない。
【００９０】
先述したステップＳ８やＳ１２の動作として、ステップＳ３１からＳ３５の一連の動作が実行されるようにすれば、ユーザは、操作対象画面を何れの表示画面に切替えようとする際にも、いわゆる長押しのタッチ操作を一度行うだけで済む（切替先をどの表示画面とするかによって、押しておくべき時間は変わる）。なお第１閾値や第２閾値の具体的な値については、ユーザが通常のタッチ操作を行うときに、誤って操作対象画面の切替操作がなされてしまうことがないように、適切な値に設定されることが望ましい。
【００９１】
またここでは、ＭＬＤ装置１に３個の表示画面が設けられているケースとなっているが、４個以上の表示画面が設けられているケースについても、同様に考えることが可能である。なおＮ個（Ｎ≧３）の表示画面が設けられている場合、先述した閾値として互いに異なるＮ−１通りの値を設定しておき、各閾値に、互いに異なる表示画面の各々（何れを操作対象画面とするか）を対応付けておけば良い。
【００９２】
これにより、操作対象画面を何れの表示画面に切替えようとする際にも、一度だけの長押しのタッチ操作で足りるようにすることが可能である。なお上述したステップＳ３１からＳ３５の動作によれば、第１閾値が「現在の操作対象画面より一つ奥側の表示画面」に対応付けられており、第２閾値が「現在の操作対象画面より二つ奥側の表示画面」に対応付けられているといえる。
【００９３】
［本実施形態の変形例等について］
また本実施形態では、各表示画面（１２〜１４）に対するタッチ操作によって、画像の要素（図形等）に係る情報を入力することが可能となっているが、タッチ操作によって入力可能である情報は、このようなものに限定されない。例えば、各表示画面（１２〜１４）にタッチボタンを示す画像を表示されている場合に、タッチパネル１１における当該タッチボタンに対応する箇所をタッチすると、当該タッチボタンが押下されたと認識されるようにすることも可能である。
【００９４】
また本実施形態では、ある表示画面について透明化が実施される際、その表示画面の全領域が透明化の対象となるが、一部の領域だけが透明化の対象となるようにしても構わない。また、透明化の対象となっている表示画面について、必ずしも、常に透明化が実施されるようにする必要は無い。例えば、タッチ操作がなされている期間に限って、透明化が実施されるようにしても構わない。
【００９５】
またタッチ操作がなされたときに、透明化の対象である表示画像の各々における、タッチされた箇所を基準とした所定範囲（つまり、タッチされた箇所の周辺部分）に重なる領域が特定され、この特定された領域（当該領域に属する画素）に対してのみ、透明化が実施されるようにしても構わない。このようにすれば、周辺部分（タッチ操作に特に関わる領域）を透明化してタッチ操作の容易性を確保しつつ、ＭＬＤ装置１の表示状態をできるだけ通常の状態に維持させることができる。
【００９６】
２．第２実施形態
［ＭＬＤ装置の構成等について］
次に第２実施形態について説明する。本実施形態に係るＭＬＤ装置は、各種のアプリケーションソフト（以下、「アプリ」と略記することがある）をインストールしておき、このアプリに基づいて動作させることが可能となっている。なお本実施形態の説明にあたっては、主に第１実施形態と異なる部分について言及し、重複した説明を省略することがある。
【００９７】
図１１は、当該ＭＬＤ装置の構成に関するブロック図である。本図に示すように当該ＭＬＤ装置１は、タッチパネル１１、第１表示画面１２（手前側の表示画面）、第２表示画面１３（奥側の表示画面）、バックライト１５、入力制御部１６、表示制御部１７、ＣＰＵ１８、操作ボタン１９、内蔵メモリ２０、およびＡＶ情報入力インタフェース２３などを備えている。なお、第１実施形態では３層の表示画面が設けられていたが、本実施形態では、２層の表示画面が設けられている（第３表示画面の配置が省略されている）とする。
【００９８】
また図１２は、ユーザ（観察者）の観察方向に平行な面を断面とした場合の、ＭＬＤ装置１の断面図である。本図に示すようにＭＬＤ装置１は、手前側が開口している筐体１０に、タッチパネル１１、第１表示画面１２、第２表示画面１３、およびバックライト１５が、手前側から奥側へ順に並ぶように配置されている。このように各表示画面（１２、１３）は、手前側から奥側に向かう方向を層方向として、層状に配置されている。
【００９９】
なお、以下に特段の説明がある場合を除き、第１実施形態において説明したＭＬＤ装置１の各構成要素（１１〜１３、１５〜２０）の構成等は、基本的に第１実施形態のものと同様である。
【０１００】
ＡＶ情報入力インタフェース２３は、有線ネットワーク（例えばEthernet（登録商標））信号を受信する受信部、あるいは、無線通信（無線ＬＡＮや無線ＷｉＭａｘ）信号を受信する無線受信部であり、各種情報の入力を受付ける。なおＡＶ情報入力インタフェース２３は、このような形態に限られず、例えば、ＰＣ等と接続するためのＵＳＢ端子であってもよい。ＡＶ情報入力インタフェース２３に入力された情報は内蔵メモリ２０に記録される。これによりＭＬＤ装置１は、各種情報の表示や、各種アプリのインストールが可能となっている。インストールされたアプリは、ＣＰＵ１８に適宜読み出され、その内容がＭＬＤ装置１の動作に反映される。これによりＭＬＤ装置１は、アプリの種類に応じた、種々の用途に利用することが可能となっている。
【０１０１】
ＣＰＵ１８は、インストールされているソフトウェア（プログラム）に基づいて、ＭＬＤ装置１の各部を制御する。なおＭＬＤ装置１は、各アプリに共通した利用環境を提供する基本ソフトウェア（ＯＳ［Operating System］に相当するもの）が記録されており、更に利用目的に応じて、適切なアプリがインストールされることになる。また表示制御部１７は、ＣＰＵ１８の指示に従い、各表示画面（１２、１３）に画像が形成されるように、各表示画面（１２、１３）に設けられた各画素の光の透過度合を調整する。
【０１０２】
ここで、ＭＬＤ装置１が画像表示のために用いる画像データのフォーマットについて、図１３を参照しながら説明する。図１３に示すように、ＭＬＤ装置１において用いられる画像データＰＩＣは、第１表示画面１２に表示させる部分ＰＩＣ−１が左側に、第２表示画面１３に表示させる部分ＰＩＣ−２が右側に、それぞれ並べられたフォーマットとなっている。なお画像データＰＩＣのサイズは、各表示画面（１２、１３）やタッチパネル１１のサイズと整合するように設定されており、本実施形態では一例として、横１６００×縦６００ドットであるとする。これにより各表示画面（１２、１３）には、横８００×縦６００ドットの画像が表示されることとなる。
【０１０３】
画像データＰＩＣは、ＡＶ信号入力インタフェース２２から入力される。そして、表示制御部１７において、左半分のデータと右半分のデータが分離される。すなわち、第１表示画面１２用のデータと、第２表示画面１３用のデータとに分離され、そして、各表示画面１２、１３に画像が表示される。なお、画像データＰＩＣが、第１、第２表示画面用のデータを合成させた構成としているのは、第１、第２表示画面に表示される画像の同期を容易にすることが目的である。
【０１０４】
［ＭＬＤ装置の基本動作について］
ＣＰＵ１８は、基本ソフトウェアに基づいた演算や各部の制御を行う。これによりＭＬＤ装置１は、各種アプリの実行の際に共通して必要となる、基本動作を実行するようになっている。基本動作には、指示に応じた電源のＯＮ／ＯＦＦの切替動作、操作対象画面（各表示画面のうち、操作の対象とするもの）上の任意位置を指定するタッチ操作（以下、「指定操作」と称することがある）を認識する動作、操作対象画面の設定方式の更新動作、および操作対象画面の切替の動作などが含まれる。
【０１０５】
ここで、基本動作の一つである、指定操作を認識する動作について、以下に説明する。指定操作を受付けるべき期間において、ＣＰＵ１８は、指等がタッチパネル１１に接触することを監視する。そして指等が接触したら、ＣＰＵ１８はこの接触を、操作対象画面に対するタッチ操作としての、指定操作として認識する。この指定操作は、操作対象画面における、指等が接触した位置に対応する位置（層方向に重なる箇所）を指定する操作である。
【０１０６】
例えば図１４に示すように、ユーザの指がタッチパネル１１におけるＰＴの位置に接触したとき、第１表示画面１２が操作対象画面である場合には、第１表示画面１２におけるＰＴ−１の位置が指定されたと認識され、第２表示画面１３が操作対象画面である場合には、第２表示画面１３におけるＰＴ−２の位置が指定されたと認識される。なおＰＴ−１およびＰＴ−２の位置は、ＰＴの位置と層方向に重なっている。
【０１０７】
これによりユーザは、例えば、操作対象画面に表示されている画像の一部を指定すべき状況において、あたかもその部分に触れるような感覚で、当該指定を行うことが可能となっている。なお、指定操作の情報がどのように扱われるかについては、そのときに実行されているアプリによることとなる。
【０１０８】
次に、操作対象画面の設定方式の更新動作について、以下に説明する。ＣＰＵ１８は、操作対象画面の設定方式の更新指示を、継続的に待機するようになっている。
【０１０９】
なお操作対象画面の設定方式としては、「可変」、「手前側の画面に固定」、および「奥側の画面に固定」の３通りが用意されており、ＭＬＤ装置１においては、何れか一つが有効に設定される。またユーザは適宜、操作ボタン１９の所定操作を通じて、これらのうちの一つを任意に指定することが可能となっている。
【０１１０】
そして現在有効である設定方式と異なる設定方式が指定されたとき、ＣＰＵ１８は、操作対象画面の設定方式の更新指示（指定した設定方式に更新させるための指示）がなされたとみなす。
【０１１１】
ここで「可変」の設定方式は、操作対象画面の切替操作（後述する、特定のタッチ操作）がなされる度に、操作対象画面が切替えられるようにする設定方式である。また「手前側の画面に固定」の設定方式は、操作対象画面を第１表示画面１２（手前側の表示画面）に固定し、操作対象画面の切替操作を受付けないようにする設定方式である。また「奥側の画面に固定」の設定方式は、操作対象画面を第２表示画面１３（奥側の表示画面）に固定し、操作対象画面の切替操作を受付けないようにする設定方式である。
【０１１２】
操作対象画面の設定方式の更新指示がなされたら、ＣＰＵ１８は、この指示に従って、有効とする操作対象画面の設定方式を更新する。これによりユーザは、使用されるアプリの種類等に応じて、所望の設定方式を有効にすることが可能となっている。
【０１１３】
なお、操作対象画面の設定方式の更新指示が、何らかのタッチ操作によって実現されるようになっていると、例えばユーザがこのタッチ操作を無意識に行ってしまうことにより、意図に反して操作対象画面に固定される表示画面が更新されたり、固定が解除されたりするおそれがある。この点、ＭＬＤ装置１は、タッチパネル１１とは別に設けられた操作ボタン１９（情報受付手段の一形態）の所定操作を、設定方式の更新指示として受付ける。
【０１１４】
このようにＭＬＤ装置１は、操作ボタン１９の操作を通じて任意の表示画面（１２、１３）の指定を受付け、操作対象画面を、この指定のなされた表示画面に固定するようになっている（但し、「可変」が指定されたときは、操作対象画面を固定しない）。そのためＭＬＤ装置１は、意図に反して操作対象画面に固定される表示画面が更新されたり、固定が解除されたりすることが、極力防止されるようになっている。但し、設定方式の更新指示が、何らかのタッチ操作によって実現されるようにすることも可能である。
【０１１５】
次に、操作対象画面の切替の動作について、図１５に示すフローチャートを参照しながら以下に説明する。ＣＰＵ１８は、操作対象画面が固定されていない（つまり有効な操作対象画面の設定方式が「可変」である）状況では（ステップＳ４１のＮ）、タッチパネル１１の任意位置に指等が触れる度に、接触時間をカウントするようになっている。ここで接触時間は、指等が、タッチパネル１１の一定位置に（つまり、タッチパネル１１上を動くことなく）、継続して触れている時間のことである。指等がタッチパネル１１から離れたり、タッチパネル１１上を動いたりしたときは、接触時間は途切れることになる。
【０１１６】
そしてＣＰＵ１８は、接触時間が予め設定されている時間についての閾値（例えば３秒）に達すると（ステップＳ４２のＹ）、操作対象画面を他方の表示画面に切替える（ステップＳ４３）。すなわち接触時間が閾値に達した場合、今回のタッチパネル１１への接触が、操作対象画面を切替えるためのタッチ操作（切替操作）と認識される。そしてこの切替操作がなされたら、操作対象画面が、第１表示画面１２と第２表示画面１３との間で切替えられる。
【０１１７】
なお接触時間が閾値に達しなかった場合（ステップＳ４２のＮ）、或いは、操作対象画面が固定されている（つまり有効な操作対象画面の設定方式が「可変」以外である）場合には（ステップＳ４１のＹ）、今回の接触は切替操作とは認識されない（但し、指定操作と認識される可能性はある）。
【０１１８】
ステップＳ４１からＳ４３の一連の動作が実行されることにより、ユーザは、いわゆる長押しのタッチ操作（特定のタッチ操作）を行い、操作対象画面を切替させることが可能となっている（但し、操作対象画面が固定されている場合を除く）。また閾値の具体的な値については、ユーザの意に反して、タッチ操作が切替操作と認識されてしまうことがないように、適切な値（通常行われるタッチ操作に比べ、十分に長い時間）に設定されることが望ましい。
【０１１９】
また接触時間が閾値に達したとき、そのときの接触（タッチ操作）は、操作対象画面を切替えるための切替操作と認識されるとともに、指定操作（指等が触れていた箇所に対応した操作対象画面上の位置を、指定する操作）としても、認識されるようにしても構わない。このようにすれば、ユーザは、切替操作と指定操作を同時に行う場合に、それぞれのためのタッチ操作を別個に行う必要がない。
【０１２０】
例えば、第１表示画面１２が操作対象画面であって、図１４に示すＰＴ−２の位置（第２表示画面１３上の位置）を指定すべき状況である場合、ユーザは、タッチパネル１１上のＰＴの位置を、一度だけ長押しすれば良い。このように操作されると、操作対象画面が第２表示画面１３に切替えられた上で、更に、ＰＴに重なっているＰＴ−２の位置が指定されたと認識されるため、目的が達せられることになる。なお、固定モードの場合、Ｓ４２における接触時間のカウントは行われず、ユーザのタッチパネルの操作内容にかかわらず、操作対象画面は切り替わらない。
【０１２１】
なおこのときにＭＬＤ装置１が行う動作は、切替前の操作対象画面における任意位置（例えばＰＴ−１）の指定を、切替後の操作対象画面における当該位置と層方向に重なる位置（例えばＰＴ−２）の指定とみなす動作であるとも言える。またこの動作は、画像データＰＩＣ上の任意位置の指定を、８００ドット分だけ横方向にずらした位置の指定とみなす動作に相当する。
【０１２２】
［各種アプリに応じた動作例について］
次に、各種アプリのインストールされたＭＬＤ装置１が、そのアプリに基づいて実行する動作について、幾つかの具体例を挙げながら以下に説明する。まず、ＭＬＤ装置１を擬似的なスロットマシン（パチスロ機）として利用できるようにするアプリが、ＭＬＤ装置１にインストールされているケースについて説明する。
【０１２３】
ＭＬＤ装置１が本アプリに基づいて動作するとき、まず初期状態として、各表示画面（１２、１３）に、図１６に示すような画像が表示された状態となる。より具体的には、第１表示画面１２には、スロットマシンのレバーＰ１１、３個のストップボタンＰ１２、およびコイン枚数Ｐ１３などが表示される。また第１表示画面１２の一部には、空白（より奥側の表示状態が、そのまま透けて見える状態）が設けられている。
【０１２４】
第２表示画面１３には、３個のシンボル（図柄）Ｐ１４が表示され、その他の部分は空白となっている。各シンボルＰ１４は、第１表示画面１２に設けられた空白と、重なる位置に配置されている。また３個のストップボタンＰ１２の各々は、３個のシンボルＰ１４の各々に対応するように表示されている。
【０１２５】
ＭＬＤ装置１はこの状態において、レバーＰ１１を指定する指定操作がなされると、コイン枚数Ｐ１３を所定値だけ減らし、あたかもリールが回転していると見えるように、シンボルＰ１４の表示状態を継続的に変化させる。ＭＬＤ装置１は、更にこの状態において、ストップボタンＰ１２を指定する指定操作がなされると、そのストップボタンＰ１２に対応したシンボルＰ１４の表示状態を固定する。ＭＬＤ装置１は、全てのシンボル１４の表示状態が固定されると、シンボル１４の揃い具合に応じてコイン枚数Ｐ１３の値を増大させ、初期状態に戻る。
【０１２６】
以降、ＭＬＤ装置１は、同様の動作を繰返し実行する。これによりユーザは、ＭＬＤ装置１を、擬似的なスロットマシンとして利用することが可能となっている。また二つの表示画面（１２、１３）を用いてスロットマシンが表現されるため、ユーザは、より立体感のある画像を見ることが可能となっている。
【０１２７】
ここで本アプリの利用の際に行われるタッチ操作は、基本的に、レバーＰ１１を指定する指定操作、および押しボタンＰ１２を指定する指定操作に限られている。そのため、第２表示画面１３に対するタッチ操作は、行われることがないと考えられる。そこでＭＬＤ装置１を、専ら本アプリを実行させて利用するような場合には、先述した操作対象画面の設定方式については、「手前側の画面に固定」を有効に設定しておくことが望ましい。これにより、操作対象画面が、意に反して第２表示画面１３に切替ってしまうことを、未然に防ぐことが可能となる。
【０１２８】
次に、ＭＬＤ装置１をカーナビゲーションシステム（カーナビ）用の表示装置として利用できるようにするアプリが、ＭＬＤ装置１にインストールされているケースについて説明する。
【０１２９】
ＭＬＤ装置１が本アプリに基づいて動作するとき、まず初期状態として、第２表示画面１３に、図１７に示すような画像が表示された状態となる。より具体的には、現在地（車の位置）を中心とした地図が、第２表示画面１３に表示された状態となる。なお地図などの情報は本アプリに含まれており、予めＭＬＤ装置１に記録されている。また最新の現在地の情報（例えばＧＰＳを利用して得られたもの）は、ＭＬＤ装置１に継続的に伝送されるようになっている。また初期状態では、第１表示画面１２は全体的に空白となっている。
【０１３０】
ＭＬＤ装置１はこの状態において、当該地図上の任意の地点を指定する指定操作がなされると、指定された地点を中心とした拡大対象領域（地図上の領域）を特定し、第１表示画面１２に、この拡大対象領域の拡大図を表示させる。より具体的には図１８に示すように、拡大対象領域として領域Ａ１１が特定された場合、第１表示画面１２にフレームＦ１１（第１表示画面１２の一部の領域）が設けられ、フレームＦ１１の中に領域Ａ１１の拡大図が表示される。
【０１３１】
なお、拡大図をより見易くするべく、第２表示画面１３におけるフレームＦ１１に重複する領域は、表示が薄くなる、或いは空白となるようにしても構わない。またフレームＦ１１が設けられることなく、拡大対象領域の拡大図は、第１表示画面１２の全域を使って表示されるようにしても構わない。
【０１３２】
ＭＬＤ装置１は、第１表示画面１２に拡大図を表示させた後、例えば一定時間が経過すると、第１表示画面１２の全域を空白に戻し、初期状態とする。以降、ＭＬＤ装置１は、同様の動作を繰返し実行する。これによりユーザは、ＭＬＤ装置１を、カーナビ用の表示装置として利用することが可能となっている。またＭＬＤ装置１は、奥側の表示画面に地図を表示しつつ、必要に応じて、その拡大図を手前側の表示画面に浮き出すように表示し、立体感のある画像表示を行うものとなっている。
【０１３３】
ここで本アプリの利用の際に行われるタッチ操作は、基本的に、地図上の任意の地点を指定する指定操作に限られている。そのため、第１表示画面１２に対するタッチ操作は、行われることがないと考えられる。そこでＭＬＤ装置１を、専ら本アプリを実行させて利用するような場合には、先述した操作対象画面の設定方式については、「奥側の画面に固定」を有効に設定しておくことが望ましい。これにより、操作対象画面が、意に反して第１表示画面１２に切替ってしまうことを、未然に防ぐことが可能となる。
【０１３４】
なおＭＬＤ装置１は、第１表示画面１２に拡大図が表示されている状態において、この拡大図に対する何らかのタッチ操作を、受付けるようになっていても構わない。例えば、拡大図の任意の地点を指定する指定操作がなされると、表示される拡大図が、指定された地点を中心としたものに更新されるといった具合である。
【０１３５】
この場合は、操作対象画面の設定方式について「可変」を有効に設定しておけば、ユーザが操作対象画面の切替操作を適宜行い、拡大図（第１表示画面１２の一部）に対する指定操作を行うことも可能となる。
【０１３６】
また操作対象画面の設定方式について「奥側の画面に固定」が有効に設定されていても、第１表示画面１２に拡大図が表示されており、かつ、フレームＦ１１内に対応する位置に指等が接触したときに限り、この接触が、第１表示画面１２に対する指定操作とみなされるようにしても良い。すなわち、操作対象画面が第２表示画面１３に固定されていても、拡大図が表示されている状況でなされた、フレームＦ１１内に対応した位置への接触によるタッチ操作については、第１表示画面１２に対する操作として認識されるようにしても良い。このことは、例えば基本ソフトウェアの内容の一部が、本アプリによって適切に修正されるようにすることで、実現可能となる。この場合も、ユーザによる、拡大図に対する指定操作が可能となる。
【０１３７】
次に、ＭＬＤ装置１を施設案内板（利用客などへの施設の案内に使われる装置）として利用できるようにするアプリが、ＭＬＤ装置１にインストールされているケースについて説明する。
【０１３８】
ＭＬＤ装置１が本アプリに基づいて動作するとき、まず初期状態として、第２表示画面１３に、図１９に示すような画像が表示された状態となる。より具体的には、所定の商業施設（商店街など）における各店舗（図１９では、Ａ店〜Ｇ店が示されている）などの位置を表す地図が、第２表示画面１３に表示された状態となる。なお地図などの情報は本アプリに含まれており、予めＭＬＤ装置１に記録されている。また初期状態では、第１表示画面１２は全体的に空白となっている。
【０１３９】
また本アプリには、当該商業施設における店舗ごとの詳細情報（画像の情報）も含まれている。各詳細情報は、当該地図における、その店舗が示されている位置に対応付けられている。そしてＭＬＤ装置１はこの状態において、当該地図上の任意の店舗（店舗を示している箇所）を指定する指定操作がなされると、第１表示画面１２に、指定された店舗の詳細情報を表示させる。より具体的には図２０に示すように、第１表示画面１２にフレームＦ１２（第１表示画面１２の一部の領域）が設けられ、フレームＦ１２の中に指定された店舗（図２０は、Ａ店が指定されたケースとなっている）の詳細情報が表示される。
【０１４０】
なお、詳細情報をより見易くするべく、第２表示画面１３におけるフレームＦ１２に重複する領域は、表示が薄くなる、或いは空白となるようにしても構わない。またフレームＦ１２が設けられることなく、詳細情報が、第１表示画面１２の全域を使って表示されるようにしても構わない。
【０１４１】
ＭＬＤ装置１は、第１表示画面１２に詳細情報を表示させた後、例えば一定時間が経過すると、第１表示画面１２の全域を空白に戻し、初期状態とする。以降、ＭＬＤ装置１は、同様の動作を繰返し実行する。これによりユーザは、ＭＬＤ装置１を、施設案内板として利用することが可能となっている。またＭＬＤ装置１は、奥側の表示画面に各店舗の位置などを表す地図を表示しつつ、必要に応じて、店舗の詳細情報を手前側の表示画面に浮き出すように表示し、立体感のある画像表示を行うものとなっている。
【０１４２】
ここで本アプリの利用の際に行われるタッチ操作は、基本的に、地図上の任意の店舗を指定する指定操作に限られている。そのため、第１表示画面１２に対するタッチ操作は、行われることがないと考えられる。そこでＭＬＤ装置１を、専ら本アプリを実行させて利用するような場合には、先述した操作対象画面の設定方式については、「奥側の画面に固定」を有効に設定しておくことが望ましい。これにより、操作対象画面が、意に反して第１表示画面１２に切替ってしまうことを、未然に防ぐことが可能となる。
【０１４３】
なおＭＬＤ装置１は、第１表示画面１２に店舗の詳細情報が表示されている状態において、この詳細情報に対する何らかのタッチ操作を、受付けるようになっていても構わない。例えば、詳細情報が複数ページに亘る場合、フレームＦ１２内の任意の位置を指定する指定操作がなされると、次のページの詳細情報が表示されるといった具合である。
【０１４４】
この場合は、操作対象画面の設定方式について「可変」を有効に設定しておけば、ユーザが操作対象画面の切替操作を適宜行い、フレームＦ１２内（第１表示画面１２の一部）に対する指定操作を行うことも可能となる。
【０１４５】
また操作対象画面の設定方式について「奥側の画面に固定」が有効に設定されていても、第１表示画面１２に店舗の詳細情報が表示されており、かつ、フレームＦ１２内に対応する位置に指等が接触したときに限り、この接触が、第１表示画面１２に対する指定操作とみなされるようにしても良い。すなわち、操作対象画面が第２表示画面１３に固定されていても、詳細情報が表示されている状況でなされた、フレームＦ１２内に対応した位置への接触によるタッチ操作については、第１表示画面１２に対する操作として認識されるようにしても良い。このことは、例えば基本ソフトウェアの内容の一部が、本アプリによって適切に修正されるようにすることで、実現可能となる。この場合も、ユーザによる、フレームＦ１２内に対する指定操作が可能となる。
【０１４６】
ＭＬＤ装置１にインストールされるアプリとしては、上述したものの他、例えばＭＬＤ装置１をＡＴＭ［Automated Teller Machine］のユーザインタフェース（ＡＴＭ端末）として機能させるアプリ等、種々のものが挙げられる。ＭＬＤ装置１をＡＴＭ端末として用いる場合、操作対象画面を第１表示画面１２に固定するようにしても良い。またＭＬＤ装置１に、予め複数種のアプリをインストールしておき、実行されるアプリが適宜変更できるようにしておいても構わない。
【０１４７】
［別の形態の切替操作について］
本実施形態のＭＬＤ装置１は、操作対象画面を切替えるための切替操作として、長押しのタッチ操作を受付けるようになっていたが、指定操作と誤って認識されないように配慮されていれば、別の形態のタッチ操作を受付けるようにしても構わない。以下に、いわゆるスライドのタッチ操作を切替操作として受付けるようにした場合の、操作対象画面の切替の動作について、図２２に示すフローチャートを参照しながら以下に説明する。
【０１４８】
ＣＰＵ１８は、操作対象画面が固定されていない状況において（ステップＳ５１のＮ）、現在の操作対象画面が第１表示画面１２である場合には（ステップＳ５２の「第１表示画面」）、タッチパネル１１の右端に達するスライドの操作がなされたかを監視する（ステップＳ５３）。すなわち、指等がタッチパネル１１に触れたまま、タッチパネル１１の右端（外縁の一辺）まで動かされたかが監視される。
【０１４９】
そして当該操作がなされた場合には（ステップＳ５３のＹ）、ＣＰＵ１８は、操作対象画面を第２表示画面１３に切替える（ステップＳ５４）。すなわち右端に達するスライドの操作が、操作対象画面を切替えるためのタッチ操作（切替操作）と認識される。
【０１５０】
一方、現在の操作対象画面が第２表示画面１３である場合には（ステップＳ５２の「第２表示画面」）、タッチパネル１１の左端に達するスライドの操作がなされたかを監視する（ステップＳ５５）。すなわち、指等がタッチパネル１１に触れたまま、タッチパネル１１の左端（外縁の一辺であり、右端の対辺と見ることも出来る）まで動かされたかが監視される。
【０１５１】
そして当該操作がなされた場合には（ステップＳ５５のＹ）、ＣＰＵ１８は、操作対象画面を第１表示画面１２に切替える（ステップＳ５４）。すなわち左端に達するスライドの操作が、操作対象画面を切替えるためのタッチ操作（切替操作）と認識される。
【０１５２】
上述したステップＳ５１からＳ５５の一連の動作によれば、タッチパネル１１の右端に達するスライドの操作がなされると、操作対象画面が第２表示画面１３に切替えられ、タッチパネル１１の左端に達するスライドの操作がなされると、操作対象画面が第１表示画面１２に切替えられる。
【０１５３】
そのためユーザにとっては、図２１に示すように、第１表示画面１２の表示内容が左側に、第２表示画面１３の表示内容が右側にそれぞれ配置された、一つの画像をイメージしながら、切替操作を行うことが可能となっている。すなわちユーザは、例えば、当該画像中の指定可能な領域を左側から右側に移動させるイメージの切替操作（タッチパネル１１の右端に達するスライドの操作）を行い、このイメージ通りの結果（実際には、操作対象画面が、第２表示画面１３に切替る）を得ることが可能となっている。
【０１５４】
その結果、ユーザは、切替操作をより直感的に行うことが可能となる。なおここでは、
第１表示画面１２の表示内容が左側に、第２表示画面１３の表示内容が右側にそれぞれ配置された画像を、ユーザにイメージさせるようにしているが、左右が逆であっても構わず、各表示内容が上下方向に配置された画像をイメージさせる（切替操作を、タッチパネル１１の上下の端に達するスライドの操作とする）ようにしても構わない。
【０１５５】
またＭＬＤ装置１は、タッチパネル１１に対する操作が、タッチパネル１１の中央部から外縁部に移動するものであるとき、画像データＰＩＣ（合成画像データ）上の操作対象位置に応じて、操作対象位置ならびに操作対象画面を設定するようになっていても良い。
【０１５６】
３．その他
以上までに説明した通り、各実施形態のＭＬＤ装置１は、複数の表示画面が層状に配置され、これらの表示画面の各々に画像を表示させることにより、各画像が合わさって形成された画像を層方向の手前側に向けて表示するものとなっている。またＭＬＤ装置１は、複数の表示画面より手前側に、これらの表示画面の各々と層方向に重なるように配置され、ユーザによるタッチ操作を受付けるタッチパネル１１を備えている。
【０１５７】
そして更にＭＬＤ装置１は、タッチ操作を操作対象画面に対する操作として認識する機能部（操作認識部）と、所定の切替操作に応じて、操作対象画面を他の表示画面に切替える機能部（画面切替部）と、操作対象画面の切替がなされないように、操作対象画面を指定された表示画面に固定する機能部（画面固定部）と、を備えている。
【０１５８】
そのためＭＬＤ装置１によれば、切替操作に応じて操作対象画面が切替えられ、複数の表示画面の各々に対するタッチ操作が可能となっている。そして更にＭＬＤ装置１によれば、操作対象画面を固定させることにより、操作対象画面の無用な切替を未然に回避することが可能となっている。
【０１５９】
なお先述したように、カーナビ用の表示装置として利用される場合、ＭＬＤ装置１は、第２表示画面１３に地図（メイン画像）を表示させる。そしてＭＬＤ装置１は、第２表示画面１３に対するタッチ操作としてタッチパネル１１が触れられたとき、この触れられた位置に対応した当該地図の拡大図を、第１表示画面１２に表示させるようになっている。
【０１６０】
また先述したように、施設案内板として利用される場合、ＭＬＤ装置１は、第２表示画面１３に地図（メイン画像）を表示させる。そしてＭＬＤ装置１は、第２表示画面１３に対するタッチ操作としてタッチパネル１１が触れられたとき、この触れられた位置に対応した地図に対応付けられている詳細情報の画像を、第１表示画面１２に表示させるようになっている。
【０１６１】
これらの例のように、第１表示画面１２に対するタッチ操作のニーズが無い場合（拡大図或いは詳細情報の画像に対する、タッチ操作がなされる場合等を除く）は、操作対象画面を第２表示画面１３に固定させておくことにより、操作対象画面の無用な切替が未然に回避される。
【０１６２】
以上の通り、本発明の実施形態について説明したが、本発明はこの内容に限定されるものではない。例えば第２実施形態において、ＭＬＤ装置１は図１３に示すフォーマットの画像データを用いるものとしたが、これに限定されることなく、他のフォーマットの画像データが用いられるようにしても構わない。また本発明を実施するにあたっては、本発明の主旨を逸脱しない限り、種々の変形を加えることが可能である。
【産業上の利用可能性】
【０１６３】
本発明は、画像を表示する画像表示装置に利用することができる。
【符号の説明】
【０１６４】
１    ＭＬＤ装置（マルチレイヤディスプレイ装置）
１０    筐体
１１    タッチパネル
１２    第１表示画面（最も手前に配置された表示画面）
１３    第２表示画面
１４    第３表示画面
１５    バックライト
１６    入力制御部
１７    表示制御部
１８    ＣＰＵ
１９    操作ボタン
２０    内蔵メモリ
２１    画像情報入力部
２２    ＡＶ信号入力インタフェース
２３    ＡＶ情報入力インタフェース
Ａ１１        地図上の領域
Ｆ１１        フレーム
Ｆ１２        フレーム
Ｐ１１        レバーを表す画像
Ｐ１２        ストップボタンを表す画像
Ｐ１３        シンボルを表す画像
ＰＩＣ        画像データ
ＰＩＣ−１    画像データの左側の部分
ＰＩＣ−２    画像データの右側の部分
ＰＴ          タッチパネル上の位置
ＰＴ−１      第１表示画面上の位置
ＰＴ−２      第２表示画面上の位置
ＣＯＭＰ      合成画像
ＣＯＲ−２    第２修正画像情報
ＣＯＲ−３    第３修正画像情報
ＯＲＧ−１    第１オリジナル画像情報
ＯＲＧ−２    第２オリジナル画像情報
ＯＲＧ−３    第３オリジナル画像情報
【図１】
0005153840.tif 000002
【図２】
0005153840.tif 000003
【図３】
0005153840.tif 000004
【図４】
0005153840.tif 000005
【図５】
0005153840.tif 000006
【図６】
0005153840.tif 000007
【図７】
0005153840.tif 000008
【図８】
0005153840.tif 000009
【図９】
0005153840.tif 000010
【図１０】
0005153840.tif 000011
【図１１】
0005153840.tif 000012
【図１２】
0005153840.tif 000013
【図１３】
0005153840.tif 000014
【図１４】
0005153840.tif 000015
【図１５】
0005153840.tif 000016
【図１６】
0005153840.tif 000017
【図１７】
0005153840.tif 000018
【図１８】
0005153840.tif 000019
【図１９】
0005153840.tif 000020
【図２０】
0005153840.tif 000021
【図２１】
0005153840.tif 000022
【図２２】
0005153840.tif 000023